(57)【要約】【課題】効率よくトイレットペーパーを使用することができるとともに、トイレットペーパーの保管面でも有用なるトイレットペーパー収納装置を提供する。【解決手段】その側面に開閉板を上部に空隙を有してトイレットペーパーを縦に複数個収納可能なるトイレットペーパー収納ケースを設け、該ケース内において、トイレットペーパーを挿入保持可能なるトイレットペーパー支持体を複数個設けるとともに、該トイレットペーパー支持体のトイレットペーパー収納ケース内前方における上昇作用とトイレットペーパー収納ケース内後方における下降作用によるトイレットペーパーの収納ケース内循環移動手段を設け、トイレットペーパー収納ケース内最上位置のトイレットペーパーの使用を可能とするとともに、トイレットペーパーの容易な交換を可能とするよう構成したことを特徴とする。【選択図】図１２
2014151174.tif 000002
【特許請求の範囲】
【請求項１】
その側面に開閉板を上部に空隙を有してトイレットペーパーを縦に複数個収納可能なるトイレットペーパー収納ケースを設け、該ケース内において、トイレットペーパーを挿入保持可能なるトイレットペーパー支持体を複数個設けるとともに、該トイレットペーパー支持体のトイレットペーパー収納ケース内前方における上昇作用とトイレットペーパー収納ケース内後方における下降作用によるトイレットペーパーの収納ケース内循環移動手段を設け、トイレットペーパー収納ケース内最上位置のトイレットペーパーの使用を可能とするとともに、トイレットペーパーの容易な交換を可能とするよう構成したことを特徴とする昇降型トイレットペーパー収納装置。
【請求項２】
トイレットペーパーの収納ケース内循環移動手段を、モーター駆動により循環移動するローラーチェーンに固定されるトイレットペーパー支持体にトイレットペーパーを支持させるものとした請求項１記載の昇降型トイレットペーパー収納装置。
【請求項３】
トイレットペーパー支持体に円板部を一体に設け、この円板部の一部をトイレットペーパー収納ケース内に設けたガイドレール内に位置させることにより、トイレットペーパー重量によるトイレットペーパーの傾斜を防止するよう構成してなる請求項２記載の昇降型トイレットペーパー収納装置。
【発明の詳細な説明】
【技術分野】
【０００１】  この発明は、複数個のトイレットペーパーを収納するとともに、収納されたトイレットペーパーの昇降機能を有する昇降型のトイレットペーパー収納装置に関する。
【背景技術】
【０００２】  従来より、種々のトイレットペーパーケースやホルダーが多用されているが、本発明にて示すようなトイレットペーパーの電動による昇降機能を有するものは見あたらない。
【発明の概要】
【発明が解決しようとする課題】
【０００３】  トイレットペーパーは必需品として常備されるが、未使用のトイレットペーパーはトイレ内適所に保管されることが多い。トイレットペーパーはトイレットペーパーホルダーに装着して用いるが、このトイレットペーパーがなくなると交換しなければならない。この交換に際しては、ホルダーよりトイレットペーパー用の芯を取り外して、この芯に通っている紙製の中筒を除去し、新たなトイレットペーパーをホルダーの芯に通してから、この芯をホルダーに装着しなければならず、煩わしい作業であり、より便利な手段が見あたらないのが現状である。
本発明は以上に鑑み、トイレットペーパーを多数個収納するとともに、電動にてこの収納されているトイレットペーパーを移動させてすぐに使うことのできる、新規かつ有用なる手段を提供することを目的として発明されたものである。
【課題を解決するための手段】
【０００４】  課題を解決する手段として本発明は以下の構成とした。
すなわち、その側面に開閉板を上部に空隙を有してトイレットペーパーを縦に複数個収納可能なるトイレットペーパー収納ケースを設け、該ケース内において、トイレットペーパーを挿入保持可能なるトイレットペーパー支持体を複数個設けるとともに、該トイレットペーパー支持体のトイレットペーパー収納ケース内前方における上昇作用とトイレットペーパー収納ケース内後方における下降作用によるトイレットペーパーの収納ケース内循環移動手段を設け、トイレットペーパー収納ケース内最上位置のトイレットペーパーの使用を可能とするとともに、トイレットペーパーの容易な交換を可能とするよう構成する。
本発明は以上の構成よりなる昇降型トイレットペーパー収納装置である。
【発明の効果】
【０００５】  本発明は以下の効果を有する。
１．トイレットペーパー複数個の収納機能を有するので、従来のようにトイレ内の未使用  トイレットペーパー収納のためのスペースを不要とすることができる。
２．ケース内トイレットペーパーの昇降手段を有するので、トイレットペーパーの頻繁な  る交換を不要とすることができる。
３．モーター駆動方式とすることで、スイッチ操作のみでトイレットペーパーを順次繰り  上げて使用することができる。
４．従来のトイレットペーパーホルダーのように、ホルダー付属の芯の取り外しと装着の  手間が不要である。
５．トイレットペーパー支持体の回動的折曲機能を設けることにより、ケース前方からの  トイレットペーパー交換作業を行うことができる。
【図面の簡単な説明】
【０００６】
【図１】  本発明の正面図
【図２】  本発明の右側面図
【図３】  本発明の内部構造説明図（正面視）
【図４】  本発明の内部構造説明図（右側面視）
【図５】  本発明の内部構造説明図（平面視）
【図６】  本発明の要部構造説明図
【図７】  本発明の要部構造説明図
【図８】  本発明の要部構造説明図
【図９】  本発明の要部構造説明図
【図１０】  本発明の要部構造説明図
【図１１】  本発明の内部構造説明図（正面視・トイレットペーパー装着時）
【図１２】  本発明の内部構造説明図（右側面視・トイレットペーパー装着時）
【発明を実施するための最良の形態】
【０００７】  以下、本発明の実施形態について説明する。
図において、１は合成樹脂製のトイレットペーパー収納ケースで、上部開放有底の中空直方体であり、その前部上方面は切除されている。２は仕切り板で、上記収納ケース内の左右側面に接して固着されるが、その上端は上記収納ケース上端よりやや下がった位置とし、下端は収納ケース内のやや下方中間位置である。この仕切り板の上部は一部切除されて切除空隙３が形成される。４は上部側伝達スプロケットで、トイレットペーパー収納ケース内上方にて、ベアリングを内蔵するとともに収納ケース内左壁に螺着されるスプロケット支持体５に回動可能に軸支される。６は上部側伝達スプロケットと同様構成の下部側伝達スプロケットで、トイレットペーパー収納ケース内下方にて、前記スプロケット支持体と同様構成によるスプロケット支持体７にて回動可能に軸支される。
８は従動スプロケットで、上記の各伝達スプロケットより小径であるとともに、下部側伝達スプロケットと同軸に設けられる。９は減速機構を有する電動のモーターで、トイレットペーパー収納ケース内底部に螺着して位置し、このモーターの出力軸には従動スプロケットより小径の駆動スプロケット１０が設けられる。【０００８】  １１は駆動ローラーチェーンで、前記の従動スプロケットと駆動スプロケット間に張設される。１２は伝達ローラーチェーンで、上部側伝達スプロケットと下部側伝達スプロケット間に張設される。なお、既述の切除空隙により、上部伝達スプロケットおよび伝達ローラーチェーンはこの空隙内に位置している。
１３はガイドレールで、その断面を略コ字形としたゆるやかに湾曲した上部を有する長逆Ｕ字形物体であり、その側部数カ所に略Ｌ形板体によるステー１４にて、トイレットペーパー収納ケース内壁左方に取り付けられる。前記の伝達ローラーチェーンの側面には図６のごとく、金属棒体によるチェーン側軸部１５が固着突設される。このチェーン側軸部にはこの軸径より大径の円板部１６が、この円板部の反対側にはチェーン側軸部と同様の軸部１７が各々一体に形成される。軸部１７の右方には、円板部と同径の円柱体によるトイレットペーパー支持体１８が一体に設けられる。このトイレットペーパー支持体の右端側は傾斜面を有する膨大部１９が一体形成される。上記の円板部の一部は、前記ガイドレール内に位置する。
以上の構成から、モーター駆動により各トイレットペーパー支持体はガイドレールに沿って昇降が可能である。【０００９】  ２０はトイレットペーパー収納ケース上方前部の切除部に設けられる側方押さえ板で、市販のバネ付き蝶番２１にてトイレットペーパーケースに螺着される。２２は上部押さえ板で、その先端近傍はやや下方湾曲し、先端には連続三角切除部による刃部２３が形成される。この上部押さえ板の右端は、前記の仕切り板上端に適宜支持手段にて回動可能に設けられる。２４はトイレットペーパー収納ケース右面に設けられる開閉板で、市販の蝶番２５にて取り付けられ、その適所には小Ｌ形板体による取っ手２６が設けられる。２７は上記開閉板のやや上方のトイレットペーパー収納ケース右方外面に設けられるスライド式のモータースイッチである。なお、図１２にて示すように、トイレットペーパー支持体にはトイレットペーパー５０もしくはトイレットペーパー中筒５１が装着されている。
以上が本発明の一実施形態である。【００１０】  次に、本発明の使用と操作について説明する。
まず、トイレットペーパー収納ケースを床面上に置き、取っ手をつかんで開閉板を開く。するとトイレットペーパー支持体があるので、この支持体にトイレットペーパーを挿入していく。トイレットペーパーには紙製の中芯があり、この中芯外周にトイレットペーパーが巻回されており、この中芯内径に比べてトイレットペーパー支持体外径は十分小であるので、容易にトイレットペーパーを挿入支持させることができる。このトイレットペーパー支持体の一端は図示および既述のごとく円錐状傾斜面による膨大部分を有しており、挿入したトイレットペーパーの使用によるトイレットペーパー支持体からの不用意な脱落を防止することができる。この挿入を各トイレットペーパー支持体について行い、トイレットペーパーの挿入が終わると開閉板を閉じる。この開閉板には閉状態維持手段を設けることが望ましく、例えば磁力を用いたものなどが利用できる。
モータースイッチＯＮにてモーターが駆動する。モーターにはＡＣ１００Ｖが結線にて外部より供給される。（結線図示略）モーター駆動にてその出力軸には減速機構によるモーター自体の回転数を減速した回転速度が伝わる。この出力軸には駆動スプロケット１０が取り付けられ、駆動ローラーチェーン１１にて従動スプロケット８にその回転が伝わる。この従動スプロケット径は駆動スプロケット径より大であるため、さらに減速がなされる。【００１１】  従動スプロケットは下部側伝達スプロケット６と同軸であり、この下部側伝達スプロケットの直上方には上部側伝達スプロケットが位置し、双方の伝達スプロケット間には伝達ローラーチェーン１２が張設されている。ゆえに、モーター駆動にて伝達ローラーチェーンは減速されてその上昇がなされる。既述のごとく、伝達ローラーチェーンにはトイレットペーパー支持体が固着されており、伝達ローラーチェーンの動きとともに、トイレットペーパー支持体は上昇する。このトイレットペーパー支持体にはトイレットペーパーが挿入されて位置し、その上昇にてやがて最上位置に達するので、スイッチＯＦＦにてモーターは停止し、トイレットペーパーも停止する。このとき、トイレットペーパー最上位置にてその上面には上部押さえ板２１が乗った状態で位置し、また、押さえ板２０はそのバネ力にてトイレットペーパー側面を軽く押圧している。この状態にて、一般のトイレットペーパー同様にトイレットペーパー端を引き出し、必要量を刃部にて切り取って用いることができる。押さえ板の押圧にてトイレットペーパーは安定して回転する。
なお、図４にて示すように、トイレットペーパーは図中にて反時計回りに回転することになるので、そのスムースな回転を得るべく、押さえ板端は使用者に対しやや手前上向きに湾曲させている。【００１２】  この状態のままトイレットペーパーを使い切るまで使用し、なくなればまたスイッチＯＮにてモーターを駆動させて次のトイレットペーパーを最上位置まで移動させて使用し、順次これを繰り返すことにより、収納されたトイレットペーパーを次々と使用することができる。トイレットペーパーを使用すると紙製の中芯だけが残るが、この中芯はトイレットペーパー支持体に支持されつつ仕切り板の切除空隙３を通って仕切り板の裏側へと移動し、下降に転ずる。そして、再び上昇へと転ずるが、再度開閉板を開けてこの芯を除去し、新たなトイレットペーパーを挿入して初期状態へと戻り、これが繰り返される。
このトイレットペーパー支持体はスプロケットに張設されたローラーチェーンに固着されているため、このローラーチェーンの動きと同じに動くが、トイレットペーパー等の重量にて、トイレットペーパー支持体はいわゆる片持ち梁構造のために、その他端は下方へ傾斜してしまう。これを防ぐためにガイドレールを設けている。
このガイドレールは断面略コ字形であり、トイレットペーパー支持体には円板部１６を設けて、この円板部の一部が常にガイドレール内に位置するために、トイレットペーパー支持体が傾こうとするとこの円板部がガイドレール内面に接するので、その平行が保たれるしくみである。【００１３】  なお、円板部厚さに対しガイドレール内幅はわずかに大である。また、このガイドレールは逆Ｕ字形であるために、図４にて示すように、下部にはガイドレールが位置しない部分があり、最下位置にいたってトイレットペーパー支持体は再びガイドレール端より入って上昇に転ずるが、これを円滑ならしめるために、ガイドレールの前方側下端は前後にやや開いた状態としている。以上により、トイレットペーパーをスイッチ操作にて所望の位置に移動させて利用することができる。なお、モータースイッチはスライド型として、正逆転可能とすることが望ましく、これにてトイレットペーパーの位置調整を行うことができる。【００１４】  図９および図１０は、本発明の他例を示すものである。
本例は、トイレットペーパー支持体を分割回動型としたものである。図において、３０は非回動型トイレットペーパー支持体で、円柱部分の中間に平行対向内面を有する切除部３１を設けている。３２は上記支持体の上面から下面に達する貫通孔で、この孔に軸３３が圧入される。３４は上記貫通孔より端部側の位置に設けた孔で、この孔下部はやや小径となり、金属製の球体３５が位置し、この球体上には圧縮コイルスプリング３６が位置し、該スプリング上方にはスクリューネジ３７が、該孔上方内面に刻設された雌ねじに螺合して位置している。３８は回動側トイレットペーパー支持体で、その左方部分は平面視円弧状で平板状の舌片部３９となり、孔を有し、この舌片部は前記切除部内に位置し、双方の有する孔を一致させて、この孔に軸３３が位置する。なお、回動側トイレットペーパー支持体の孔は、軸よりわずかに大径であり、従って、回動側トイレットペーパー支持体は軸を回動中心として所定範囲内にて回動自由である。また、舌片部上面には球面状の凹部４０が形成され、この凹部に前記の球体が押圧接触する。【００１５】  以上の構成から、非回動側トイレットペーパー支持体に対し回動側トイレットペーパー支持体は、軸を中心に回動可能であるが、双方のトイレットペーパー支持体が一直線上に位置したときには、前述のごとく圧縮コイルスプリングの力にて球体は凹部に押しつけられるので、双方のトイレットペーパー支持体の直線位置状態が保たれる。
回動側トイレットペーパー支持体の端（右方）を持って手前側に引くと、舌片部の凹部は球体より外れるので、回動側トイレットペーパー支持体を例えば手前側に約９０度ほど回すことができる。
このとき、トイレットペーパー収納ケースの前側に開閉板があって開状態であれば、回動側トイレットペーパー支持体に前方からトイレットペーパーを挿入することができ、回動側トイレットペーパー支持体を元の一直線上に戻して、前例と同様の機能を発揮することができる。球体による凹部への押圧にて、回動側トイレットペーパー支持体の直線状態の保持作用のため、トイレットペーパー支持体の使用時におけるふらつきを阻止して安定した使用が可能である。【００１６】  以上、本発明について記したが、本発明はスイッチ操作のみにて所望のトイレットペーパーを希望位置に移動させ、使い終われば再びスイッチを操作して次のトイレットペーパーを移動させ、このようにして収納されているトイレットペーパーを次々と使用できるところにその特徴を有するものである。
従来はこのような手段がなく、トイレットペーパーホルダーの芯を外して新たなトイレットペーパーを芯に挿入した後、再びトイレットペーパーをトイレットペーパーホルダーに装着しなければならず、また、未使用のトイレットペーパーを例えばトイレ室内に複数個保管しておかねばならなかったが、本発明にてこの双方の課題が解決できるものとなったのである。
なお、既例においてはトイレットペーパー収納ケースを合成樹脂にて製作するものとしたが、これに限らず他の素材にて製作することができる。また、モータースイッチ操作にてトイレットペーパーを移動させる方式にて説明したが、例えば収納ケース内適所にセンサーを設け、このセンサーにてトイレットペーパー位置を感知し、このセンサーからの感知信号を制御回路に向けて送信し、この制御回路にてモーター駆動を制御する方式とすれば、人為的なスイッチ操作によるトイレットペーパー位置の調整が不要となって、より利便性に富んだものとすることができる。あるいは逆に、手動ハンドルにてトイレットペーパー移動を行う方式として、より安価に製作する方式とすることもできる。
さらに、収納ケース適所に縦長の窓部を設けたり、あるいはトイレットペーパー収納ケース全部もしくは一部を透明材料にて製作することにより、収納トイレットペーパーの数量や状態を視認できて便利である。また、ガイドレールは既例ではその下部には設けていないが、全周にわたって設けたものとしてもよい。
以上のごとく、本発明にてトイレットペーパー使用に便利なる有用なる物品を得ることができる。
【符号の説明】
【００１７】  １    トイレットペーパー収納ケース
２    仕切り板
３    切除空隙
４    上部側伝達スプロケット
５    スプロケット支持体
６    下部側伝達スプロケット
７    スプロケット支持体
８    従動スプロケット
９    モーター
１０  駆動スプロケット
１１  駆動ローラーチェーン
１２  伝達ローラーチェーン
１３  ガイドレール
１４  ステー
１５  チェーン側軸部
１６  円板部
１７  軸部
１８  トイレットペーパー支持体
１９  膨大部
２０  側方押さえ板
２１  バネ付き蝶番
２２  上部押さえ板
２３  刃部
２４  開閉板
２５  蝶番
２６  取っ手
２７  モータースイッチ
３０  非回動側トイレットペーパー支持体
３１  切除部
３２  貫通孔
３３  軸
３４  孔
３５  球体
３６  圧縮コイルスプリング
３７  スクリューネジ
３８  回動側トイレットペーパー支持体
３９  舌片部
４０  凹部
５０  トイレットペーパー
５１  トイレットペーパー中筒
【図１】
2014151174.tif 000003
【図２】
2014151174.tif 000004
【図３】
2014151174.tif 000005
【図４】
2014151174.tif 000006
【図５】
2014151174.tif 000007
【図６】
2014151174.tif 000008
【図７】
2014151174.tif 000009
【図８】
2014151174.tif 000010
【図９】
2014151174.tif 000011
【図１０】
2014151174.tif 000012
【図１１】
2014151174.tif 000013
【図１２】
2014151174.tif 000014